Podtech/llm-jp-corpus-v4-ja_patent huggingface dataset:
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
音量の設定値を記憶する記憶手段と，
前記記憶手段に記憶される前記設定値に応じた音声を出力する音声出力手段と，
音量を設定する設定手段と，
遊技者の操作による入力を受け付ける入力手段と，
制御手段と，
表示手段と，
を備え，
前記制御手段は，
前記入力手段への入力を受け付けたことに応じて，前記設定値を変更する音量設定処理と，
待機状態中に前記表示手段に通常の待機画像とは異なる特定の待機画像を表示する場合に，前記設定手段によって設定された値であるハードウェア値に基づく音量が，前記記憶手段に記憶された設定値に基づく音量よりも大きいか否かを判断する判断処理と，
前記判断処理にて前記ハードウェア値に基づく音量が前記設定値に基づく音量よりも大きいと判断された場合，前記設定値を前記ハードウェア値に設定し，前記判断処理にて前記ハードウェア値に基づく音量が前記設定値に基づく音量よりも大きいと判断されなかった場合，前記設定値を変更しない初期化処理と，
を実行することを特徴とする遊技機。
【手続補正２】
【補正対象書類名】明細書
【補正対象項目名】０００７
【補正方法】変更
【補正の内容】
【０００７】
本発明の遊技機は、
音量の設定値を記憶する記憶手段と，
前記記憶手段に記憶される前記設定値に応じた音声を出力する音声出力手段と，
音量を設定する設定手段と，
遊技者の操作による入力を受け付ける入力手段と，
制御手段と，
表示手段と，
を備え，
前記制御手段は，
前記入力手段への入力を受け付けたことに応じて，前記設定値を変更する音量設定処理と，
待機状態中に前記表示手段に通常の待機画像とは異なる特定の待機画像を表示する場合に，前記設定手段によって設定された値であるハードウェア値に基づく音量が，前記記憶手段に記憶された設定値に基づく音量よりも大きいか否かを判断する判断処理と，
前記判断処理にて前記ハードウェア値に基づく音量が前記設定値に基づく音量よりも大きいと判断された場合，前記設定値を前記ハードウェア値に設定し，前記判断処理にて前記ハードウェア値に基づく音量が前記設定値に基づく音量よりも大きいと判断されなかった場合，前記設定値を変更しない初期化処理と，
を実行することを特徴とする遊技機である。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
記憶部を備え、複数のユーザがプレイする対戦ゲームを提供する情報処理装置に、
前記複数のユーザのそれぞれに対応付けられた第１ゲーム媒体を前記記憶部に記憶するステップと、
前記複数のユーザの内の第１ユーザの操作又は前記第１ユーザに関する所定の情報に応じて、前記複数のユーザの内の前記第１ユーザとは異なる第２ユーザに対応付けられた第１ゲーム媒体を、前記対戦ゲームで前記第１ユーザによって使用される第２ゲーム媒体として抽出するステップと、を実行させるためのプログラム。
【請求項２】
前記情報処理装置に、
抽出された前記第２ゲーム媒体と前記複数のユーザのユーザ操作とに基づいて、前記対戦ゲームを実行するステップをさらに実行させる、請求項１に記載のプログラム。
【請求項３】
前記情報処理装置に、
抽出された前記第２ゲーム媒体と前記第１ユーザとを対応付けて前記記憶部に記憶するステップをさらに実行させる、請求項１又は２に記載のプログラム。
【請求項４】
前記抽出するステップにおいて、前記第１ユーザに対応付けられた第１ゲーム媒体と、前記第２ユーザに対応付けられた複数の第１ゲーム媒体の内の、前記第２ユーザによって使用される第２ゲーム媒体として抽出された第１ゲーム媒体を除く第１ゲーム媒体と、の中から、前記対戦ゲームで前記第１ユーザによって使用される第２ゲーム媒体を抽出する、請求項１〜３のいずれか一項に記載のプログラム。
【請求項５】
前記情報処理装置に、
前記対戦ゲームで前記第１ユーザによって使用される第２ゲーム媒体として抽出された第１ゲーム媒体が、前記第２ユーザに対応付けられた前記第１ゲーム媒体である場合、前記対戦ゲームが実行された後、所定の情報を前記第１ユーザの端末装置に表示させるステップをさらに実行させる、請求項４に記載のプログラム。
【請求項６】
前記所定の情報は、前記実行された対戦ゲームとは異なる他のゲームに関する情報であり、
前記情報処理装置に、
前記第１ユーザの操作に応じて、前記他のゲームを実行するステップと、
前記他のゲームの結果に応じて、前記実行された対戦ゲームで前記第１ユーザによって使用された第２ゲーム媒体と同一の又は所定の関連性を有するゲーム媒体を、前記第１ユーザに対応付けて前記記憶部に記憶するステップと、をさらに実行させる、請求項５に記載のプログラム。
【請求項７】
前記対戦ゲームが実行された後、前記第１ユーザと前記抽出された第２ゲーム媒体との対応付けを解消する、請求項３に記載のプログラム。
【請求項８】
前記情報処理装置に、
前記複数のユーザに関する情報及び前記対戦ゲームに関する情報の少なくとも一方を前記記憶部に記憶するステップをさらに実行させ、
前記抽出するステップにおいて、前記第１ユーザに対応付けられた第１ゲーム媒体と、前記第２ユーザに対応付けられた複数の第１ゲーム媒体の内の所定の情報に基づき選択された第１ゲーム媒体と、の中から、前記対戦ゲームで前記第１ユーザによって使用される第２ゲーム媒体を抽出し、
前記所定の情報は、前記複数のユーザに関する情報及び前記対戦ゲームに関する情報の少なくとも一方を含む、請求項１〜７のいずれか一項に記載のプログラム。
【請求項９】
前記ユーザに関する情報は、属性を含み、
前記選択された第１ゲーム媒体は、前記属性を有するアイテムを含む、請求項８に記載のプログラム。
【請求項１０】
前記対戦ゲームに関する情報は、前記対戦ゲームにおいて有利なアイテム種類を含み、
前記選択された第１ゲーム媒体は、前記有利なアイテム種類に示される種類のアイテムを含む、請求項８又は９に記載のプログラム。
【請求項１１】
前記情報処理装置に、
前記複数のユーザそれぞれについて、プレイ履歴に関する履歴情報を記憶するステップと、
前記複数のユーザの中から前記履歴情報に基づいて前記第１ユーザを選択するステップと、をさらに実行させる、請求項１〜１０のいずれか一項に記載のプログラム。
【請求項１２】
前記第１ユーザは、前記複数のユーザの中で、ゲーム媒体の取得回数又は取得頻度が最も小さいユーザである、請求項１１に記載のプログラム。
【請求項１３】
複数のユーザがプレイする対戦ゲームを提供する情報処理装置であって、
前記複数のユーザのそれぞれに対応付けられた第１ゲーム媒体を記憶する記憶部と、
制御部と、を備え、
前記制御部は、前記複数のユーザの内の第１ユーザの操作又は前記第１ユーザに関する所定の情報に応じて、前記複数のユーザの内の前記第１ユーザとは異なる第２ユーザに対応付けられた第１ゲーム媒体を、前記対戦ゲームで前記第１ユーザによって使用される第２ゲーム媒体として抽出する処理を実行する、
ことを特徴とするサーバ装置。
【請求項１４】
複数のユーザがそれぞれ使用する複数の端末装置と、前記複数の端末装置に対戦ゲームを提供するサーバ装置と、を備えるゲームシステムであって、
前記複数の端末装置のそれぞれは、使用するユーザによる操作を示す情報を前記サーバ装置に送信する送信部を有し、
前記サーバ装置は、
前記複数のユーザのそれぞれに対応付けられた第１ゲーム媒体を記憶する記憶部と、
前記複数のユーザの内の第１ユーザの操作又は前記第１ユーザに関する所定の情報に応じて、前記複数のユーザの内の前記第１ユーザとは異なる第２ユーザに対応付けられた第１ゲーム媒体を、前記対戦ゲームで前記第１ユーザによって使用される第２ゲーム媒体として抽出する処理を実行する制御部と、を有する
ことを特徴とするゲームシステム。
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
先端に可撓部分を有する絶縁性のチューブ部材と、
前記チューブ部材の基端部に装着され、先端偏向操作のための操作機構を具備するハンドルと、
前記チューブ部材の先端および／または先端部分の外周に装着された少なくとも１個の電極と、
前記電極にその先端が接続され、前記チューブ部材の内部に軸方向に沿って延在する、少なくとも１本のリード線と、
前記ハンドルの外部に配置または前記ハンドルに内蔵され、前記リード線の基端が接続される端子を有する電極コネクタと、
前記チューブ部材の先端に装着された前記電極または前記チューブ部材の先端部にその先端が固定され、前記チューブ部材の内部を軸方向に沿って延在し、前記操作機構の構成要素にその基端が固定されることで引張操作可能な少なくとも１本の操作用ワイヤとを備えてなり、
前記チューブ部材の基端部は、前記ハンドルの先端からその内部に挿入され、前記ハンドルの内部において前記操作機構の前記構成要素における前記操作用ワイヤの基端の固定位置を越えて基端方向に延在し、前記ハンドルの外部に延出しており、
前記チューブ部材の基端部の管壁には、前記操作機構の前記構成要素における前記操作用ワイヤの基端の固定位置よりも先端側において、前記チューブ部材の外周面に開口する少なくとも１つの第１側孔が形成され、
前記操作用ワイヤの基端部が、前記第１側孔を通って、前記チューブ部材の外部に延出し、
前記チューブ部材の基端部の前記ハンドルの内部に延在している部分の管壁には、前記前記操作機構の前記構成要素における前記操作用ワイヤの基端の固定位置よりも基端側において、前記チューブ部材の外周面に開口する少なくとも１つの第２側孔が形成され、
前記リード線の基端部は、前記第２側孔を通って、前記チューブ部材の外部に延出していることを特徴とする電極カテーテル。
【請求項２】
前記操作機構が、ワイヤ留め具を備えた先端偏向操作のための回転操作部であり、
前記操作用ワイヤの基端が、前記回転操作部の前記ワイヤ留め具に固定され、
前記チューブ部材の基端部は、前記ハンドルの先端からその内部に挿入され、前記ハンドルの内部において前記回転操作部を越えて基端方向に延在していることを特徴とする請求項１に記載の電極カテーテル。
【請求項３】
前記チューブ部材は、ガイドワイヤルーメンを含むマルチルーメン構造を有し、
前記チューブ部材の基端には、前記ガイドワイヤルーメンと連通するポートを有するガイドワイヤコネクタが接続されていることを特徴とする請求項１または２に記載の電極カテーテル。
【請求項４】
前記チューブ部材は、イリゲーションルーメンを含むマルチルーメン構造を有し、
前記チューブ部材の基端には、前記イリゲーションルーメンと連通する液体の注入管が接続されていることを特徴とする請求項１または２に記載の電極カテーテル。
【手続補正書】
【提出日】平成31年2月27日(2019.2.27)
【手続補正１】
【補正対象書類名】明細書
【補正対象項目名】００４２
【補正方法】変更
【補正の内容】
【００４２】
一方、修正量算出部４３は、回転量の算出のために、プレショット画像Ｐ０から抽出した気道５１の中心軸の、プレショット画像Ｐ０における垂直方向の軸に対する傾きを回転量として算出する。図６は回転量の算出を説明するための図である。図６に示すように、修正量算出部４３は、気道５１の中心軸５２を検出し、プレショット画像Ｐ０の垂直方向の軸５３との傾きθを算出する。ここで、図６に示すような状態においては、放射線検出器２０を右回りに回転させれば、気道５１の中心軸５２はプレショット画像の垂直方向の軸５３と平行になる。したがって、修正量算出部４３は、例えば傾きθが３０度の場合、「右回りに３０度」を回転量として算出する。なお、傾きθが０の場合、回転に関してポジショニングを調整する必要はない。このため、修正量算出部４３は、傾きθが０の場合、回転量を０に設定する。
【手続補正２】
【補正対象書類名】明細書
【補正対象項目名】００４５
【補正方法】変更
【補正の内容】
【００４５】
なお、報知部４４からの報知により、操作者は、自身が手に持っている放射線照射装置１０または放射線検出器２０のポジショニングを調整する。例えば、平行移動量が「右に２０ｍｍ」であった場合には、放射線照射装置１０を被写体３に対して右に２０ｍｍ移動させるようにして、平行移動に関するポジショニングを調整する。また、回転量が「右回りに３０度」であった場合には、放射線検出器２０を右回りに３０度回転させることにより、回転に関するポジショニングを調整する。ポジショニングを調整した結果、平行移動量および回転量の双方がしきい値未満となって修正量がしきい値未満となると、撮影制御部４２は、本撮影を行う指示を放射線照射装置１０および放射線検出器２０に対して行う。これにより、本撮影が行われて、被写体３の放射線画像Ｇ０が取得される。この際、報知部４４は、修正量がしきい値未満となったことを報知してもよい。
【手続補正３】
【補正対象書類名】明細書
【補正対象項目名】００５３
【補正方法】変更
【補正の内容】
【００５３】
なお、上記実施形態においては、プレショット画像Ｐ０に含まれる椎骨および気道という、２つの解剖学的特徴の位置関係に基づいて修正量を算出しているが、プレショット画像Ｐ０と基準画像とを比較することにより修正量を算出してもよい。例えば、図９に示すような基準画像Ｂ０をストレージ３３に保存しておく。なお、基準画像Ｂ０は、あらかじめ定められたポジショニングとなる撮影条件により取得されたものである。撮影条件取得部４１は、基準画像Ｂ０を撮影条件として取得する。修正量算出部４３は、基準画像Ｂ０と一致するようにプレショット画像Ｐ０を変形し、プレショット画像Ｐ０の平行移動、回転および拡大縮小に関する変形のパラメータを修正量として算出する。なお、平行移動のパラメータは、放射線照射装置１０を放射線検出器２０の検出面に対して平行に移動させる２軸方向それぞれの移動量、回転のパラメータは、放射線照射装置１０の放射線検出器２０の検出面に垂直な軸の周りの回転角度、拡大縮小のパラメータは、放射線照射装置１０の放射線検出器２０に対する移動量となる。また、上記実施形態においては、椎骨および気道に基づいて修正量を算出しているが、例えば胸郭および横隔膜に基づいて修正量を算出してもよい。また、肺における左肺門および右肺門とに基づいて、修正量を算出してもよい。この場合、ポジショニングに関する撮影条件は、前者については胸郭および横隔膜に基づいて取得され、後者については、左肺門および右肺門に基づいて取得される。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
撮影手段により時系列順に取得される医用画像に対して、保存すべきか否かについての第１の判定を行う第１の判定手段と、
前記第１の判定が肯定された場合に、保存すべきと判定された前記医用画像を保存手段に保存する保存制御手段と、
保存が必要な１以上の医用画像が前記保存手段に保存されたか否かについての第２の判定を行う第２の判定手段と、
前記第２の判定が否定された場合に、前記保存が必要な１以上の医用画像が前記保存手段に保存されていないことを報知する報知手段とを備えたことを特徴とする医用画像撮影制御装置。
【請求項２】
前記第１の判定手段は、前記医用画像に含まれる解剖学的領域に基づいて、前記第１の判定を行う請求項１記載の医用画像撮影制御装置。
【請求項３】
前記第２の判定手段は、複数の撮影手技による複数の前記医用画像を保存するに際し、前記第２の判定が否定された場合、未保存の医用画像についての撮影手技の情報を取得し、
前記報知手段は、前記未保存の医用画像についての撮影手技をさらに報知する請求項１または２記載の医用画像撮影制御装置。
【請求項４】
前記保存制御手段は、被写体の複数の部位についての複数の前記医用画像を保存するに際し、前記保存が必要な１以上の前記医用画像を、前記部位ごとに前記保存手段に保存する請求項１または２記載の医用画像撮影制御装置。
【請求項５】
前記保存制御手段は、前記保存が必要な１以上の前記医用画像に時間的に前後する複数の医用画像をさらに前記保存手段に保存する請求項１から３のいずれか１項記載の医用画像撮影制御装置。
【請求項６】
前記撮影手段は、超音波撮影手段である請求項１から４のいずれか１項記載の医用画像撮影制御装置。
【請求項７】
前記報知手段は、前記第１の判定が肯定されたことをさらに報知し、
前記保存制御手段は、保存すべきと判定されかつ保存すべき指示がなされた前記医用画像を前記保存手段に保存する請求項１から６のいずれか１項記載の医用画像撮影制御装置。
【請求項８】
撮影手段により時系列順に取得される医用画像に対して、保存すべきか否かについての第１の判定を行い、
前記第１の判定が肯定された場合に、保存すべきと判定された前記医用画像を保存手段に保存し、
保存が必要な１以上の医用画像が前記保存手段に保存されたか否かについての第２の判定を行い、
前記第２の判定が否定された場合に、前記保存が必要な１以上の医用画像が前記保存手段に保存されていないことを報知することを特徴とする医用画像撮影制御方法。
【請求項９】
撮影手段により時系列順に取得される医用画像に対して、保存すべきか否かについての第１の判定を行う手順と、
前記第１の判定が肯定された場合に、保存すべきと判定された前記医用画像を保存手段に保存する手順と、
保存が必要な１以上の医用画像が前記保存手段に保存されたか否かについての第２の判定を行う手順と、
前記第２の判定が否定された場合に、前記保存が必要な１以上の医用画像が前記保存手段に保存されていないことを報知する手順とをコンピュータに実行させることを特徴とする医用画像撮影制御プログラム。
【手続補正２】
【補正対象書類名】明細書
【補正対象項目名】００３０
【補正方法】変更
【補正の内容】
【００３０】
また、メモリ３２には、医用画像撮影制御プログラムが記憶されている。医用画像撮影制御プログラムは、ＣＰＵ３１に実行させる処理として、プローブ２０から入力された検出信号を画像化する画像化処理、画像化処理により時系列順に取得される超音波画像に対して、保存すべきか否かについての第１の判定を行う第１の判定処理、第１の判定が肯定された場合に、保存すべきと判定された超音波画像をストレージ３３に保存する保存制御処理、保存が必要な１以上の超音波画像がストレージ３３に保存されたか否かについての第２の判定を行う第２の判定処理、および第２の判定が否定された場合に、保存が必要な１以上の超音波画像がストレージ３３に保存されていないことを報知する報知処理を規定する。
【手続補正３】
【補正対象書類名】明細書
【補正対象項目名】００４９
【補正方法】変更
【補正の内容】
【００４９】
このように、本実施形態においては、時系列順に取得される超音波画像に対して、保存すべきか否かについての第１の判定を行い、保存が必要な超音波画像がストレージ３３に保存されたか否かについての第２の判定を行い、第２の判定が否定された場合に、保存が必要な超音波画像がストレージ３３に保存されていないことを報知するようにしたものである。このため、操作者は報知により保存が必要な超音波画像が保存されていないことを知ることができる。したがって、保存が必要な超音波画像を漏れなくかつ効率よく保存できる。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段が送信するコマンドを受信し、前記コマンドに応じて演出の進行を制御する演出制御手段を備える遊技機であって、
前記演出制御手段は、ＲＯＭ搭載基板と映像作成基板と映像出力基板を少なくとも含み、
前記ＲＯＭ搭載基板は遊技演出に用いられる画像に関するデータが記憶されたＲＯＭを有し、
前記映像作成基板は前記ＲＯＭ搭載基板の前記データから映像情報を作成し、前記映像情報を複数のフォーマットの信号で前記映像出力基板に出力し、
前記映像出力基板は前記複数のフォーマットの信号の中から、表示装置で表示する際に必要とされるフォーマットの信号を前記表示装置へ出力するものであり、
前記映像作成基板は、前記ＲＯＭ搭載基板、前記映像出力基板と各々コネクタで電気的に接続され、
前記ＲＯＭ搭載基板と前記映像作成基板を接続する前記コネクタは、基板を直接電気的に接続する基板間コネクタであり、
前記映像作成基板と前記映像出力基板を電気的に接続する前記コネクタは、基板を直接電気的に接続する基板間コネクタであり、かつ、基板の取付けの誤差を許容するフローティング機構を備えた
ことを特徴とした遊技機。
【手続補正２】
【補正対象書類名】明細書
【補正対象項目名】０００２
【補正方法】変更
【補正の内容】
【０００２】
従来より、図柄、各種背景画像、文字、キャラクタなどの画像データが記憶されるＲＯＭ、種々の画像を表示する表示装置を制御するＣＰＵ等が実装される演出制御基板等を備える遊技機が提案されている（例えば、特許文献１）。
【手続補正３】
【補正対象書類名】明細書
【補正対象項目名】０００３
【補正方法】変更
【補正の内容】
【０００３】
【特許文献１】特開２０１６−１１６６６７号公報（図２）
【手続補正４】
【補正対象書類名】明細書
【補正対象項目名】０００４
【補正方法】変更
【補正の内容】
【０００４】
ところで、表示装置に入力される映像信号の方式には複数種類のものがある。このため、特許文献１に記載される遊技機においては、表示装置に入力される映像信号に合わせて演出制御基板を改変して製造する必要があり、演出制御基板のコストを抑制することが困難であった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、演出制御基板のコストを抑制することができる遊技機を提供することにある。
【手続補正６】
【補正対象書類名】明細書
【補正対象項目名】０００７
【補正方法】変更
【補正の内容】
【０００７】
（解決手段１）
遊技の進行を制御する主制御手段が送信するコマンドを受信し、前記コマンドに応じて演出の進行を制御する演出制御手段を備える遊技機であって、前記演出制御手段は、ＲＯＭ搭載基板と映像作成基板と映像出力基板を少なくとも含み、前記ＲＯＭ搭載基板は遊技演出に用いられる画像に関するデータが記憶されたＲＯＭを有し、前記映像作成基板は前記ＲＯＭ搭載基板の前記データから映像情報を作成し、前記映像情報を複数のフォーマットの信号で前記映像出力基板に出力し、前記映像出力基板は前記複数のフォーマットの信号の中から、表示装置で表示する際に必要とされるフォーマットの信号を前記表示装置へ出力するものであり、前記映像作成基板は、前記ＲＯＭ搭載基板、前記映像出力基板と各々コネクタで電気的に接続され、前記ＲＯＭ搭載基板と前記映像作成基板を接続する前記コネクタは、基板を直接電気的に接続する基板間コネクタであり、前記映像作成基板と前記映像出力基板を電気的に接続する前記コネクタは、基板を直接電気的に接続する基板間コネクタであり、かつ、基板の取付けの誤差を許容するフローティング機構を備えたことを特徴とした遊技機。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】
本発明の遊技機においては、演出制御基板のコストを抑制することができる。
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
所定の始動条件により抽選を行い、前記抽選の結果に従って遊技を制御する主制御部と、前記主制御部からのコマンドに基づき演出を制御する演出制御部を備える遊技機であって、
前記演出制御部は少なくとも、
遊技演出に用いられる画像データが予め記憶されるＲＯＭを有する第１基板と、
映像情報を作成し、複数種類の方式の映像信号を出力する第２基板と、
表示装置に映像を表示させるために必要な映像信号を前記表示装置へ出力する第３基板と、
を含み、
前記第１基板と前記第２基板は第１コネクタで接続され、前記第１コネクタを通じて前記第１基板の前記画像データを前記第２基板に送信し、
前記第２基板は前記第１基板の前記画像データから映像情報を作成し複数種類の方式の映像信号を出力し、
前記第２基板と前記第３基板は第２コネクタで接続され、前記第２コネクタを通じて前記第２基板で作成された前記複数種類の方式の映像信号を前記第３基板に送信し、
前記第３基板は、前記第２基板から受信した前記複数種類の方式の映像信号の中から前記表示装置に映像を表示させるために必要な映像信号の方式と適合する信号のみを前記表示装置に出力し、
前記第１コネクタと前記第２コネクタはハーネスを用いず基板を直接接続する基板間コネクタである
ことを特徴とした遊技機。
【手続補正２】
【補正対象書類名】明細書
【補正対象項目名】０００２
【補正方法】変更
【補正の内容】
【０００２】
従来より、図柄、各種背景画像、文字、キャラクタなどの画像データが記憶されるＲＯＭ、種々の画像を表示する表示装置を制御するＣＰＵ等が実装される演出制御基板等を備える遊技機が提案されている（例えば、特許文献１）。
【手続補正３】
【補正対象書類名】明細書
【補正対象項目名】０００３
【補正方法】変更
【補正の内容】
【０００３】
【特許文献１】特開２０１６−１１６６６７号公報（図２）
【手続補正４】
【補正対象書類名】明細書
【補正対象項目名】０００４
【補正方法】変更
【補正の内容】
【０００４】
ところで、表示装置に入力される映像信号の方式には複数種類のものがある。このため、特許文献１に記載される遊技機においては、表示装置に入力される映像信号に合わせて演出制御基板を改変して製造する必要があり、演出制御基板のコストを抑制することが困難であった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、演出制御基板のコストを抑制することができる遊技機を提供することにある。
【手続補正６】
【補正対象書類名】明細書
【補正対象項目名】０００７
【補正方法】変更
【補正の内容】
【０００７】
（解決手段１）
所定の始動条件により抽選を行い、前記抽選の結果に従って遊技を制御する主制御部と、前記主制御部からのコマンドに基づき演出を制御する演出制御部を備える遊技機であって、前記演出制御部は少なくとも、遊技演出に用いられる画像データが予め記憶されるＲＯＭを有する第１基板と、映像情報を作成し、複数種類の方式の映像信号を出力する第２基板と、表示装置に映像を表示させるために必要な映像信号を前記表示装置へ出力する第３基板と、を含み、前記第１基板と前記第２基板は第１コネクタで接続され、前記第１コネクタを通じて前記第１基板の前記画像データを前記第２基板に送信し、前記第２基板は前記第１基板の前記画像データから映像情報を作成し複数種類の方式の映像信号を出力し、前記第２基板と前記第３基板は第２コネクタで接続され、前記第２コネクタを通じて前記第２基板で作成された前記複数種類の方式の映像信号を前記第３基板に送信し、前記第３基板は、前記第２基板から受信した前記複数種類の方式の映像信号の中から前記表示装置に映像を表示させるために必要な映像信号の方式と適合する信号のみを前記表示装置に出力し、前記第１コネクタと前記第２コネクタはハーネスを用いず基板を直接接続する基板間コネクタであることを特徴とした遊技機。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】
本発明の遊技機においては、演出制御基板のコストを抑制することができる。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
（ａ）標的配列にハイブリダイズすることができるガイド配列、（ｂ）ｔｒａｃｒ配列にハイブリダイズすることができる、ｔｒａｃｒメイト配列、及び（ｃ）ｔｒａｃｒ配列を含むＣＲＩＳＰＲ−Ｃａｓ系キメラＲＮＡ（ｃｈｉＲＮＡ）であって、黄色ブドウ球菌（Staphylococcus aureus）Ｃａｓ９（ＳａＣａｓ９）タンパク質とＣＲＩＳＰＲ−Ｃａｓ複合体を形成することができ、真核細胞において、プロトスペーサー隣接モチーフ（ＰＡＭ）に隣接する標的配列へのＣＲＩＳＰＲ−Ｃａｓ複合体の配列特異的結合を指向することができる、ＣＲＩＳＰＲ−Ｃａｓ系ｃｈｉＲＮＡ。
【請求項２】
ＰＡＭがＮＮＧＲＲを含む、請求項１に記載のＣＲＩＳＰＲ−Ｃａｓ系ｃｈｉＲＮＡ。
【請求項３】
前記ｔｒａｃｒ配列が、少なくとも３０ヌクレオチドの長さを含む、請求項１又は２に記載のＣＲＩＳＰＲ−Ｃａｓ系ｃｈｉＲＮＡ。
【請求項４】
前記ｔｒａｃｒ配列が、少なくとも４０ヌクレオチドの長さを含む、請求項１〜３のいずれか一項に記載のＣＲＩＳＰＲ−Ｃａｓ系ｃｈｉＲＮＡ。
【請求項５】
前記ｔｒａｃｒ配列が、少なくとも５０ヌクレオチドの長さを含む、請求項１〜４のいずれか一項に記載のＣＲＩＳＰＲ−Ｃａｓ系ｃｈｉＲＮＡ。
【請求項６】
ガイド配列が、１０〜３０ヌクレオチドの長さを含む、請求項１〜５のいずれか一項に記載のＣＲＩＳＰＲ−Ｃａｓ系ｃｈｉＲＮＡ。
【請求項７】
ガイド配列が、少なくとも２０ヌクレオチドの長さを含む、請求項１〜６のいずれか一項に記載のＣＲＩＳＰＲ−Ｃａｓ系ｃｈｉＲＮＡ。
【請求項８】
ガイド配列が、２０、２１、２２、２３、又は２４ヌクレオチドの長さを含む、請求項１〜７のいずれか一項に記載のＣＲＩＳＰＲ−Ｃａｓ系ｃｈｉＲＮＡ。
【請求項９】
以下の配列：
NNNNNNNNNNNNNNNNNNNNGUUUUAGUACUCUGGAAACAGAAUCUACUAAAACAAGGCAAAAUGCCGUGUUUAUCUCGUCAACUUGUUGGCGAGAUUUUUUU
を含む、請求項１に記載のＣＲＩＳＰＲ−Ｃａｓ系ｃｈｉＲＮＡ。
【請求項１０】
請求項１〜９のいずれか一項に記載のＣＲＩＳＰＲ−Ｃａｓ系ｃｈｉＲＮＡをコードするポリヌクレオチド配列を含むベクター。
【請求項１１】
２以上のＣＲＩＳＰＲ−Ｃａｓ系ｃｈｉＲＮＡをコードする、請求項１０に記載のベクター。
【請求項１２】
真核細胞での発現用にコドン最適化されているＳａＣａｓ９タンパク質をコードするポリヌクレオチド配列をさらに含む、請求項１０又は１１に記載のベクター。
【請求項１３】
ウイルスベクターである、請求項１０〜１２のいずれか一項に記載のベクター。
【請求項１４】
アデノ随伴ウイルス（ＡＡＶ）ベクターである、請求項１３に記載のベクター。
【請求項１５】
請求項１〜９のいずれか一項に記載のＣＲＩＳＰＲ−Ｃａｓ系ｃｈｉＲＮＡと、ＳａＣａｓ９タンパク質とを含む組成物。
【請求項１６】
請求項１〜９のいずれか一項に記載のＣＲＩＳＰＲ−Ｃａｓ系ｃｈｉＲＮＡと、ＳａＣａｓ９タンパク質をコードするｍＲＮＡとを含む組成物。
【請求項１７】
ＣＲＩＳＰＲ−Ｃａｓ系ｃｈｉＲＮＡと、ＳａＣａｓ９のタンパク質又はｍＲＮＡとが、ナノ粒子、リポソーム、エキソソーム、又はマイクロベシクル中に含まれている、請求項１５又は１６に記載の組成物。
【請求項１８】
請求項１〜９のいずれか一項に記載のＣＲＩＳＰＲ−Ｃａｓ系ｃｈｉＲＮＡ、請求項１０〜１４のいずれか一項に記載のベクター、又は請求項１５〜１７のいずれか一項に記載の組成物を含む、真核細胞。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
カメラボディに接続されるレンズユニットにおいて、
振動を検出する振動検出センサと、
像面における振れを低減する補正レンズと、
前記カメラボディに配置されて振動を誘引する駆動部を駆動させたときに前記振動検出センサが予め定められたノイズ信号を出力した場合に前記駆動部を駆動させた使用状況に関する情報を記憶部に記憶した後に前記駆動部を駆動させるときに前記カメラボディから受け取った前記情報と、前記記憶部に記憶された前記情報と、に基づいて、前記補正レンズを制御する制御部と
を備えるレンズユニット。
【請求項２】
請求項１に記載のレンズユニットにおいて、
前記制御部は、前記レンズユニットに接続された前記カメラボディの機種名、シリアル番号、総レリーズ回数、日時、および温度の少なくともひとつを含む、前記駆動部を駆動させた使用状況に関する情報を前記記憶部に記憶させるレンズユニット。
【請求項３】
請求項１に記載のレンズユニットにおいて、
前記制御部は、前記カメラボディから受け取った前記情報と、前記記憶部に記憶された前記情報と、の差に基づいて、前記補正レンズを制御するレンズユニット。
【請求項４】
請求項１から３のいずれか一項に記載のレンズユニットにおいて、
前記制御部は、前記記憶部に記憶された前記情報に相応する使用状況の場合には、使用者へ予め定められた通告を行うレンズユニット。
【請求項５】
請求項１から４のいずれか一項に記載のレンズユニットにおいて、
前記制御部は、前記記憶部に記憶された前記情報に相応する使用状況の場合には、前記補正レンズの移動を停止するレンズユニット。
【請求項６】
請求項１から５のいずれか一項に記載のレンズユニットにおいて、
前記振動検出センサは、角速度センサと加速度センサとを含み、
前記制御部は、前記記憶部に記憶された前記情報に相応する使用状況の場合には、前記ノイズ信号を出力した一方のセンサの出力を利用せず、他方のセンサの出力に基づいて前記補正レンズの移動を制御するレンズユニット。
【請求項７】
請求項１から６のいずれか一項に記載のレンズユニットにおいて、
前記制御部は、前記記憶部に記憶された前記情報に相応する使用状況の場合には、前記駆動部が駆動される以前の出力に基づいて前記補正レンズの移動を制御するレンズユニット。
【請求項８】
請求項１から７のいずれか一項に記載のレンズユニットにおいて、
前記制御部は、前記記憶部に記憶された前記情報に相応する使用状況の場合には、前記駆動部が駆動されてから予め定められた時間の経過定められた時間の経過後に撮像動作を開始させるレンズユニット。
【請求項９】
カメラボディに接続されるレンズユニットにおいて、
振動を検出する振動検出センサと、
前記振動検出センサの出力に基づいて像面における振れを低減する補正レンズと、
前記カメラボディに配置された駆動部を駆動させた後に前記駆動部を駆動させた使用状況に関する情報を記憶部に記憶した後に前記駆動部を駆動させるときに前記カメラボディから受け取った前記情報と、前記記憶部に記憶された前記情報と、に基づいて、前記補正レンズを制御する制御部と
を備えるレンズユニット。
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
ベッド上の対象者の見守りを支援する見守り支援システムであって、
撮像装置により撮影された画像を取得する画像取得部と、
ベッドの領域を基準として画像内に１つ以上の判定領域を設定する領域設定部と、
前記画像取得部により取得された前記画像から前記対象者を検出する検出部と、
前記判定領域と前記対象者が検出された位置との関係に基づいて、前記対象者の状態を判定する判定部と、
前記判定部による判定結果に応じた通知を行う出力部と、を有し、
前記領域設定部は、
前記画像取得部から、ベッドの斜め上からベッドの全体を俯瞰する領域設定用の画像を受け取り、
前記領域設定用の画像から物体検出によりベッドのコーナーを検出し、
前記コーナーを包含する局所範囲から、前記コーナーを起点とする線分をベッドの輪郭として検出することにより、ベッドの領域を特定する
ことを特徴とする見守り支援システム。
【請求項２】
前記領域設定部は、ベッドの画像を機械学習した識別器を用いた物体検出により、ベッドのコーナーを検出する
ことを特徴とする請求項１に記載の見守り支援システム。
【請求項３】
ベッド上の対象者の見守りを支援する見守り支援システムの制御方法であって、
撮像装置により撮影された画像を取得するステップと、
ベッドの領域を基準として画像内に１つ以上の判定領域を設定するステップと、
前記取得された前記画像から前記対象者を検出するステップと、
前記判定領域と前記対象者が検出された位置との関係に基づいて、前記対象者の状態を判定するステップと、
前記対象者の状態の判定結果に応じた通知を行うステップと、を有し、
前記判定領域を設定するステップは、
ベッドの斜め上からベッドの全体を俯瞰する領域設定用の画像を受け取るステップと、
前記領域設定用の画像から物体検出によりベッドのコーナーを検出するステップと、
前記コーナーを包含する局所範囲から、前記コーナーを起点とする線分をベッドの輪
郭として検出することにより、ベッドの領域を特定するステップと、を含む
ことを特徴とする見守り支援システムの制御方法。
【請求項４】
請求項３に記載の見守り支援システムの制御方法の各ステップをコンピュータに実行させるためのプログラム。
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
ベッド上の対象者の見守りを支援する見守り支援システムであって、
撮像装置により撮影された画像を取得する画像取得部と、
画像内のベッドの領域に基づき設定される複数の判定領域ごとに、危険な状態を判定するための判定基準があらかじめ設定されている判定基準記憶部と、
前記画像取得部により取得された前記画像から前記対象者を検出する検出部と、
前記検出部により検出された前記対象者の頭部の向きを含む、前記対象者の頭部の状態を認識する状態認識部と、
前記検出部により前記対象者が検出された位置に対応する判定領域の判定基準を用いて、前記状態認識部で認識された前記対象者の頭部の状態の危険度合いを判定する判定部と、
前記判定部により判定された危険度合いに応じた通知を行う出力部と、
を有することを特徴とする見守り支援システム。
【請求項２】
前記頭部の状態は、頭部の向きに加えて、頭部の移動速度、頭部の移動方向、頭部の移動ベクトルのうちの少なくともいずれかを含む複数の項目を含み、
前記判定部は、前記複数の項目に関する危険度合いを判定し、当該複数の項目に関する危険度合いを統合して前記頭部の状態の危険度合いを判定する、
ことを特徴とする請求項１に記載の見守り支援システム。
【請求項３】
前記出力部は、前記判定された危険度合いが閾値より小さい場合は通知を行わない
ことを特徴とする請求項１または２に記載の見守り支援システム。
【請求項４】
ベッド上の対象者の見守りを支援する見守り支援システムの制御方法であって、
撮像装置により撮影された画像を取得するステップと、
画像内のベッドの領域に基づき設定される複数の判定領域ごとに、危険な状態を判定するための判定基準があらかじめ設定されているステップと、
前記取得された前記画像から前記対象者を検出するステップと、
前記検出された前記対象者の頭部の向きを含む、前記対象者の頭部の状態を認識するステップと、
前記対象者が検出された位置に対応する判定領域の判定基準を用いて、前記認識された
前記対象者の頭部の状態の危険度合いを判定するステップと、
前記判定された危険度合いに応じた通知を行うステップと、
を有することを特徴とする見守り支援システムの制御方法。
【請求項５】
請求項４に記載の見守り支援システムの制御方法の各ステップをコンピュータに実行させるためのプログラム。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
第１取得条件の成立に基づいて、第１情報を取得する第１取得手段と、
その第１取得手段により取得された前記第１情報に基づいて第１判定を実行する第１判定手段と、
その第１判定手段による第１判定の結果に基づいた第１演出を第１演出期間で実行する第１演出実行手段と、
前記第１取得条件とは異なる第２取得条件の成立に基づいて、第２情報を取得する第２取得手段と、
その第２取得手段により取得された前記第２情報に基づいて第２判定を実行する第２判定手段と、
その第２判定手段による第２判定の結果に基づいた第２演出を第２演出期間で実行する第２演出実行手段と、
前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有した遊技機において、
特定条件が成立した場合に、前記第１演出と前記第２演出とが所定回数実行されるまで遊技者に有利となる有利状態を設定する有利状態設定手段と、
その有利状態設定手段により前記有利状態が設定された場合に、前記第１判定より前記第２判定が実行され易くし、前記有利状態が終了した場合に、前記第２判定より前記第１判定が実行され易くする可変制御手段と、
前記有利状態が設定されていない場合には、前記第２演出が実行されている期間であっても、前記第１演出が予め定められた第１期間実行されないことに基づいて、第１表示態様を表示させるための第１表示設定を設定し、前記有利状態が設定されている場合には、前記第１演出が実行されている期間であっても、前記第２演出が予め定められた第２期間実行されないことに基づいて、前記第１表示態様とは異なる第２表示態様を表示させるための第２表示設定を設定する表示設定手段と、を有するものであり、
前記第１演出実行手段は、前記第１表示態様と前記第２表示態様とがそれぞれ表示されることが可能な表示手段に前記第１演出を実行することが可能であり、
前記第２演出実行手段は、前記表示手段に前記第２演出を実行することが可能なものであることを特徴とする遊技機。
【請求項２】
前記第１表示態様は、液晶ディスプレイに表示されるものであることを特徴とする請求項１記載の遊技機。
【手続補正２】
【補正対象書類名】明細書
【補正対象項目名】０００６
【補正方法】変更
【補正の内容】
【０００６】
この目的を達成するために本発明の遊技機は、第１取得条件の成立に基づいて、第１情報を取得する第１取得手段と、その第１取得手段により取得された前記第１情報に基づいて第１判定を実行する第１判定手段と、その第１判定手段による第１判定の結果に基づいた第１演出を第１演出期間で実行する第１演出実行手段と、前記第１取得条件とは異なる第２取得条件の成立に基づいて、第２情報を取得する第２取得手段と、その第２取得手段により取得された前記第２情報に基づいて第２判定を実行する第２判定手段と、その第２判定手段による第２判定の結果に基づいた第２演出を第２演出期間で実行する第２演出実行手段と、前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有し、特定条件が成立した場合に、前記第１演出と前記第２演出とが所定回数実行されるまで遊技者に有利となる有利状態を設定する有利状態設定手段と、その有利状態設定手段により前記有利状態が設定された場合に、前記第１判定より前記第２判定が実行され易くし、前記有利状態が終了した場合に、前記第２判定より前記第１判定が実行され易くする可変制御手段と、前記有利状態が設定されていない場合には、前記第２演出が実行されている期間であっても、前記第１演出が予め定められた第１期間実行されないことに基づいて、第１表示態様を表示させるための第１表示設定を設定し、前記有利状態が設定されている場合には、前記第１演出が実行されている期間であっても、前記第２演出が予め定められた第２期間実行されないことに基づいて、前記第１表示態様とは異なる第２表示態様を表示させるための第２表示設定を設定する表示設定手段と、を有するものであり、前記第１演出実行手段は、前記第１表示態様と前記第２表示態様とがそれぞれ表示されることが可能な表示手段に前記第１演出を実行することが可能であり、前記第２演出実行手段は、前記表示手段に前記第２演出を実行することが可能なものである。
【手続補正３】
【補正対象書類名】明細書
【補正対象項目名】００１１
【補正方法】変更
【補正の内容】
【００１１】
本発明の遊技機によれば、第１取得条件の成立に基づいて、第１情報を取得する第１取得手段と、その第１取得手段により取得された前記第１情報に基づいて第１判定を実行する第１判定手段と、その第１判定手段による第１判定の結果に基づいた第１演出を第１演出期間で実行する第１演出実行手段と、前記第１取得条件とは異なる第２取得条件の成立に基づいて、第２情報を取得する第２取得手段と、その第２取得手段により取得された前記第２情報に基づいて第２判定を実行する第２判定手段と、その第２判定手段による第２判定の結果に基づいた第２演出を第２演出期間で実行する第２演出実行手段と、前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有し、特定条件が成立した場合に、前記第１演出と前記第２演出とが所定回数実行されるまで遊技者に有利となる有利状態を設定する有利状態設定手段と、その有利状態設定手段により前記有利状態が設定された場合に、前記第１判定より前記第２判定が実行され易くし、前記有利状態が終了した場合に、前記第２判定より前記第１判定が実行され易くする可変制御手段と、前記有利状態が設定されていない場合には、前記第２演出が実行されている期間であっても、前記第１演出が予め定められた第１期間実行されないことに基づいて、第１表示態様を表示させるための第１表示設定を設定し、前記有利状態が設定されている場合には、前記第１演出が実行されている期間であっても、前記第２演出が予め定められた第２期間実行されないことに基づいて、前記第１表示態様とは異なる第２表示態様を表示させるための第２表示設定を設定する表示設定手段と、を有するものであり、前記第１演出実行手段は、前記第１表示態様と前記第２表示態様とがそれぞれ表示されることが可能な表示手段に前記第１演出を実行することが可能であり、前記第２演出実行手段は、前記表示手段に前記第２演出を実行することが可能なものである。
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
位置測定部を備えた収穫用農機を利用した作物の倒伏度評価装置であって、
前記位置測定部により測定した位置における前記収穫用農機の速度を取得する位置別速度データ取得部と、
予め求めておいた前記収穫用農機の速度の基準値に基づいて、前記収穫用農機の速度を標準化し、作物の倒伏度の指標とする標準化処理部と
を有することを特徴とする作物の倒伏度評価装置。
【請求項２】
前記標準化処理部により標準化された前記収穫用農機の速度と、予め求めておいた前記収穫用農機の標準化された速度と作物の倒伏度との関係と、に基づいて、作物の倒伏度を推定する倒伏度推定部と
を有することを特徴とする請求項１に記載の作物の倒伏度評価装置。
【請求項３】
さらに、前記位置別速度データ取得部により取得した位置別速度データを、前記収穫用農機の速度の上限、下限および進行方向に基づいて除外するフィルタリング処理部を有することを特徴とする請求項１又は２に記載の作物の倒伏度評価装置。
【請求項４】
前記収穫用農機の速度の基準値は、倒伏していない圃場または倒伏していない箇所における前記収穫用農機の速度の平均値に基づいて求めることを特徴とする請求項１から３までのいずれか１項に記載の作物の倒伏度評価装置。
【請求項５】
前記倒伏度推定部は、
前記収穫用農機の標準化された速度と作物の倒伏度との複数の圃場のそれぞれにおける関係に基づいて倒伏度を推定する請求項２から４までのいずれか１項に記載の作物の倒伏度評価装置。
【請求項６】
前記倒伏度推定部は、
前記収穫用農機の標準化された速度と作物の倒伏度との位置別の関係に基づいて倒伏度を推定する請求項２から４までのいずれか１項に記載の作物の倒伏度評価装置。
【請求項７】
位置測定部を備えた収穫用農機を利用した作物の倒伏度評価方法であって、
前記位置測定部により測定した位置における前記収穫用農機の速度を取得する位置別速度データ取得ステップと、
予め求めておいた前記収穫用農機の速度の基準値に基づいて、前記収穫用農機の速度を標準化し、作物の倒伏度の指標とする標準化処理ステップと
を有することを特徴とする作物の倒伏度評価方法。
【請求項８】
前記標準化処理部により標準化された前記収穫用農機の速度と、予め求めておいた前記収穫用農機の標準化された速度と作物の倒伏度との関係と、に基づいて、作物の倒伏度を推定する倒伏度推定ステップと
を有することを特徴とする請求項７に記載の作物の倒伏度評価方法。
【請求項９】
各圃場の頂点の緯度、経度を指定して圃場の範囲を定義しておき、位置と速度と方向とからなるGPSによる位置別速度データがどの圃場で取得されたものか自動的に判別するステップと、
判別後のデータに圃場のデータを追加するステップと、
前記圃場のデータが追加されたデータに基づいて、圃場毎の平均あるいは地点別の倒伏度を推定することを特徴とする請求項７に記載の作物の倒伏度評価方法。
【請求項１０】
前記倒伏度推定ステップにより求めた作物の倒伏度を、前記予め求めておいた前記収穫用農機の標準化された速度と作物の倒伏度との関係にさらに反映させるステップを有することを特徴とする請求項８又は９に記載の作物の倒伏度評価方法。
【請求項１１】
コンピュータに、請求項７から１０までのいずれか１項に記載の倒伏度評価方法を実行させるためのプログラム。